(57)【特許請求の範囲】
【請求項１】
居室の上部に、所定勾配を持たせて平板状の屋根パネル部材を装着して勾配を有する屋根部を形成する屋根構造において、前記屋根部の底面に略水平方向に沿って並設される金属製梁部材の端縁から側方に突設する水平板状金属片部を設け、該水平板状金属片部には、柱材の頭頂部から上方へ向けて立設された取付ボルトを挿通する取付孔を設けると共に、該端縁の鉛直面と、該水平板状金属片部との間を一体に連結する上面側に斜めの切欠部を有している鉛直補強スチフナー部が設けられ、前記柱材の頭頂部に跨って、平板状の屋根パネル部材を下方から支持する屋根パネル支持面を有する軒受けつなぎ部材が装着されると共に、該軒受けつなぎ部材には、前記鉛直補強スチフナー部の前記斜めの切欠部を挿入するスリット部が形成されることを特徴とする屋根構造。
【請求項２】
前記底面は、屋根裏の床面部であり、前記屋根部内に屋根裏部を有する屋根裏用ユニットを前記居室を構成する居室ユニット上部に配置することを特徴とする請求項１記載の屋根構造。
【請求項３】
前記金属製梁部材は、所定間隔をおいて少なくとも一対設けられると共に、該金属製梁部材間には、開口部が形成されることを特徴とする請求項１又は２記載の屋根構造。
【発明の詳細な説明】
【０００１】
【発明の属する技術分野】
この発明は、主に、勾配屋根パネル部材を有する屋根構造に関するものである。
【０００２】
【従来の技術】
従来のこの種の屋根構造としては、例えば、図１１及び図１２に示すような勾配屋根を有するユニット建物の構造が知られている（特開平８−１０８０号公報参照）。
【０００３】
このような建物１では、略箱状を呈する複数の居室ユニット２…によって、下階居室部３が形成されている。この居室部３の上部には、屋根部４を構成する複数の屋根ユニット５…及び６…が載置されている。
【０００４】
このうち、屋根ユニット５は、建物１略中央の棟に沿って延設されて上部５ａが、略中央棟部を上方に突設する山型形状を呈する様に形成されている。
【０００５】
また、前記屋根ユニット６は、図１２に示すように、前記屋根部３の床部を構成する底面板部７を下面側に装着して前記建物１の軒側に載置されるように構成されている。この屋根ユニット６の上部６ａは、前記屋根ユニット５の上部の山型勾配に沿わせて、妻板６ｂ，６ｂを略三角形形状とすることにより、斜めに切り欠かれて、前記屋根パネル部材８…を傾斜させて配置するように構成されている。
【０００６】
次に、この従来の屋根構造の作用について説明する。
【０００７】
このように構成された従来の屋根構造では、前記居室部３の上部中央の棟に沿って前記屋根ユニット５…が載置されると共に、前記屋根ユニット６…が、軒側に沿って並べられて載置される。
【０００８】
次に、これらの各屋根ユニット５，６の上部に、傾斜勾配に沿わせて複数の平板状の屋根パネル部材が装着されて、切り妻形状の屋根部４が構成される。
【０００９】
また、他の従来の屋根構造としては、図１３に示すような特開平１０−１１０４９９号公報に記載されているようなものが知られている。
【００１０】
まず、構成を説明すると、この屋根構造では、居室ユニット９には、耐力壁としての妻壁パネル１０が、直交配置される桁側壁パネル１１と共に、図示省略の下階床パネルに立設されて上部を開放した略ボックス状に形成されている。
【００１１】
この居室ユニット９の上部には、平板面形状の構造パネル１２が、略水平に装着されて、屋根裏１２の床部を構成している。この構造パネル１２は、複数の根太１３が所定間隔をおいて並設されている。
【００１２】
この根太１３の端部１３ａには、軒先延設方向（図中紙面前後方向）に沿う端根太１４が、櫛歯状に加工されて組み合わされ、直交する様に配設されている。これらの根太１３及び端根太１４の下面側には、石膏ボード１５が固着されると共に、上面側には構造用合板１６が固着されている。
【００１３】
また、前記端部１３ａ，１３ａ間には、水平面状構造材１８が隙間無く配置されて、前記根太１３及び端根太１４に釘２０等を用いて固着されている。この端部１３ａ，１３ａの上面には、切欠部１３ｂ，１３ｂが各々形成されて、所定の勾配を有する屋根パネル部材１７が当接されて載置される。
【００１４】
更に、この屋根パネル部材１７は、スクリュウネイル２１によって前記端部１３ａ又は水平面状構造材１８に固着されている。
【００１５】
そして、これらの水平面状構造材１８は、座金付きボルト１９によって、前記妻壁パネル１０の上枠１０ａに固定される。
【００１６】
また、前記妻壁パネル１０の外側上部と、前記屋根パネル部材１７の裏面側との間には、屋根受け部材２２が配設されている。
【００１７】
このように構成された他の従来のものでは、前記屋根パネル部材１７の荷重が、前記水平面状構造体１８及び屋根受け部材２２を介して、前記妻壁パネル部材８の上枠１０ａに伝達されて下方から支持される。
【００１８】
【発明が解決しようとする課題】
しかしながら、前記図１１又は図１２に示すような一従来の屋根構造では、前記底面板部７の厚さａ相当分、屋根パネル部材８の高さが、居室ユニット２の上端面２ａよりも上方に上昇した位置に設定されてしまう。このため、屋根部４の高さが上昇して、例えば、斜線制限に抵触しやすい等、設計の自由度が減少してしまうといった問題があった。
【００１９】
これに対して、前記図１３に示す他の従来の屋根構造では、前記切り欠き部１３ｂによって比較的下方に配置された屋根パネル部材１７の荷重が、前記水平面状構造体１８及び屋根受け部材２２を介して、前記妻壁パネル部材８の上枠１０ａに伝達される。
【００２０】
しかしながら、前記根太１３は、直接、前記妻壁ユニットの上枠１０ａに固着されていないため、家屋の規模によっては、支持強度が不足してしまうといった問題があった。
【００２１】
そこで、この発明は、所望の支持強度を常に確保できると共に、屋根部の装着位置を下階居室の壁パネル上端面に近接させて配置できる屋根構造を提供することを課題としている。
【００２２】
【課題を解決するための手段】
前記課題を解決するため本願発明の請求項１に記載されたものでは、居室の上部に、所定勾配を持たせて平板状の屋根パネル部材を装着して勾配を有する屋根部を形成する屋根構造において、前記屋根部の底面に略水平方向に沿って並設される金属製梁部材の端縁から側方に突設する水平板状金属片部を設け、該水平板状金属片部には、柱材の頭頂部から上方へ向けて立設された取付ボルトを挿通する取付孔を設けると共に、該端縁の鉛直面と、該水平板状金属片部との間を一体に連結する上面側に斜めの切欠部を有している鉛直補強スチフナー部が設けられ、前記柱材の頭頂部に跨って、平板状の屋根パネル部材を下方から支持する屋根パネル支持面を有する軒受けつなぎ部材が装着されると共に、該軒受けつなぎ部材には、前記鉛直補強スチフナー部の前記斜めの切欠部を挿入するスリット部が形成される屋根構造を特徴としている。
【００２３】
このように構成された請求項１記載のものでは、前記水平板状金属片部に設けられた取付孔に、前記柱材の頭頂部から上方へ向けて立設された取付ボルトを挿通することにより、該居室の上部の高剛性を有する柱材が配設された隅部の上方に、前記金属製梁部材を掛け渡すことが出来る。
【００２４】
また、該水平板状金属片部は、前記鉛直補強スチフナー部によって、前記金属製梁部材の端縁の鉛直面と一体に連結されている。
【００２５】
このため、家屋の規模に関わらず、常に所望の支持強度を確保できる。
【００２６】
また、前記水平板状取付金属片部は、前記屋根部の底面に略水平方向に沿って並設される金属製梁部材の端縁から側方に突設されているので、前記柱材上方の前記金属製梁部材の占有空間の増大を抑制して、屋根部の屋根パネル部材の装着位置が、下階居室ユニットの壁パネル上端面に近接した比較的低い位置とすることが出来る。
【００２７】
このため、例えば、斜線制限等に抵触し難く、設計の自由度を増大させることが出来る。
【００２９】
このように構成された請求項１記載のものでは、前記鉛直補強スチフナー部が、上面側に斜めの切欠部を有しているので、前記屋根部の屋根パネル部材の装着位置を、下階居室ユニットの壁パネル上端面に近接した比較的低い位置とすることが出来る。
【００３０】
また、請求項２に記載されたものでは、前記底面は、屋根裏の床面部であり、前記屋根部内に屋根裏部を有する屋根裏用ユニットを前記居室を構成する居室ユニット上部に配置する請求項１記載の屋根構造を特徴としている。
【００３１】
このように構成された請求項２記載のものでは、前記屋根裏用ユニットを前記居室ユニット上部に載置することにより、床部に前記金属製梁部材が並設された屋根裏を形成できる。
【００３２】
このため、施工性が良好である。
【００３３】
更に、請求項３に記載されたものでは、前記金属製梁部材は、所定間隔をおいて少なくとも一対設けられると共に、該金属製梁部材間には、開口部が形成される請求項１又は２記載の屋根構造を特徴としている。
【００３４】
このように構成された請求項３記載のものでは、前記開口部が、前記所定間隔をおいて設けられる金属製梁部材間に形成されているので、該屋根部底面の構造強度の低下を殆ど発生させることなく、下階居室ユニット内に形成される居室空間等との連絡通路等を形成できる。
【００３５】
従って、施工性が良好で、斜線制限等の条件を満たし、屋根裏等を設けた屋根構造を提供できる。
【００３６】
【発明の実施の形態１】
以下、本発明の具体的な実施の形態について、図面を参照しつつ説明する。
【００３７】
図１乃至図１０は、この発明の実施の形態１を示すものである。なお、前記従来例と同一乃至均等な部分については、同一符号を付して説明する。
【００３８】
まず、構成を説明すると、この実施の形態１の屋根構造の建物２３では、四隅部に金属製の柱材２４…が配設されて略箱状を呈する居室ユニット２５…が、複数並設されて、下階居室部２６が構成されている。
【００３９】
これらの柱材２４の頭頂部２４ａからは、取付ボルト２４ｂが上方へ向けて突設されている。
【００４０】
この下階居室部２６は、図５に示すように、構造材２７及び図示省略の断熱材等を挟んで屋外側に外壁部材２８を、又、屋内側に内壁部材２９を貼設する耐力壁部３０を有している。
【００４１】
これらの耐力壁部３０の上部には、図８に示すように、所定勾配を持たせて平板状の屋根パネル部材５８〜６９を装着して勾配を有する屋根部３２が形成されている。
【００４２】
この屋根部３２には、前記耐力壁部３０の上端縁に沿って延設される端根太部材３３が設けられている。この端根太部材３３は、図２に示すように、上辺部材３３ａ及び下辺部材３３ｂと、これらの上辺部材３３ａ及び下辺部材３３ｂ間に挟持された複数の束部材３３ｃと、この上辺部材３３ａの上部に設けられて、上面部を屋根パネル支持面３４ａとして傾斜させたパネル当接部材３４とを有して主に構成されている。
【００４３】
このうち、下辺部材３３ｂの他の端根太部材３３が隣接配置される端部３３ｄには、前記取付ボルト２４ｂを下方から挿通する挿通孔３５が形成されている。そして、この端部３３ｄには、前記束部材３３ｃと前記上辺部材３３ａの端面３３ｅ，補強片部材３６，仕切壁部材３７によって水平断面略コ字状を呈する様に囲われた梁装着部３８が形成されている。
【００４４】
更に、この端根太部材３３の外側面には、前記外壁部材２８と略同一構成の外壁部材３９，４０が、内側面には、内壁部材４１が各々貼設されている。
【００４５】
これらの梁装着部３８，３８には、金属製梁部材４２，４２が各々掛け渡されて装着されている。
【００４６】
このうち、一対の金属製梁部材４２，４２は、図１に示すように、屋根裏４３の底面である床面部４４を構成する略平板状の床構造体４５の両側に、所定間隔をおいて略平行に並設されている。
【００４７】
更に、この実施の形態１では、前記金属製梁部材４２，４２間には、一部切り欠いて略方形状の開口部４６が形成されていて、小壁部材４７，４８等が予め装着された小屋根部ユニット４９を構成している。
【００４８】
この金属製梁部材４２には、図８に示すように前記屋根部３２の底面に略水平方向に沿って並設されて、端縁４２ａから側方に突設する水平板状金属片部５０が設けられている。
【００４９】
この水平板状金属片部５０には、前記柱材２４の頭頂部２４ａから上方へ向けて立設された取付ボルト２４ｂを挿通する取付孔５１が設けられている。
【００５０】
更に、前記端縁４２ａの鉛直面と、この水平板状金属片部５０との間には、一対の鉛直補強スチフナー部５２，５２が設けられていて、これらの端縁４２ａの鉛直面と、この水平板状金属片部５０との間を一体に連結するように溶接されて構成されている。
【００５１】
この鉛直補強スチフナー部５２，５２には、上面側に斜めの切欠部５２ａ，５２ａが各々形成されている。
【００５２】
前記水平板状金属片部５０と、前記端部３３ｄとの間には、前記取付ボルト２４ｂを挿通する挿通孔７０ａが形成された合板スペーサ部材７０と、挿通孔７１ａが形成された下地プレート部材７１とが介在されていて、施工現場で、前記取付ボルト２４ｂに、ナット部材２４ｃを螺合させて、前記梁装着部３８によって形成される余剰空間部に、ウレタン材７２が注入されるようにしている。
【００５３】
そして、図２に示すように、これらの梁装着部３８，３８及び前記上辺部材３３ａ，３３ａの端部に跨って軒受けつなぎ部材７３が装着される。この軒受けつなぎ部材７３の上面部には、前記パネル当接部材３４と略同一角度傾斜して形成される屋根パネル支持面７３ａが設けられている。更に、この軒受けつなぎ部材７３には、前記鉛直補強スチフナー部５２，５２の前記斜めに形成された切欠部５２ａ，５２ａを各々挿入するスリット部７３ｂ，７３ｂが複数所定間隔をおいて、後面及び下面に渡って形成されている。
【００５４】
また、この屋根部４には、図７に示すように仮柱５３，５４等が設けられていて、傾斜梁材５５，ゲーブル梁５６，棟梁５７が、端部若しくは略中央部をこれらの各仮柱５３，５４等に支持されて配置される。
【００５５】
そして、図８に示すように、各平板状屋根パネル部材５８〜６９をこれらの各傾斜梁材５５，ゲーブル梁５６，棟梁５７上に載置することにより屋根部３２が形成されるように構成されている。
【００５６】
次に、この実施の形態１の作用について説明する。
【００５７】
この実施の形態１では、図１に示すように、下階居室部２６上に屋根部２３を装着する際、図２に示すように、まず、前記柱材２４の頭頂部２４から上方へ向けて立設された取付ボルト２４ｂへ、前記挿通孔７０ａ，７１ａを挿通させて合板スペーサ部材７０及び、下地プレート部材７１を装着する。
【００５８】
次に、前記金属製梁部材４２を装着する。水平板状金属片部５０…に設けられた取付孔５１…に、前記取付ボルト２４ｂを挿通することにより、居室ユニット２５上部の高剛性を有する柱材２４が配設された隅部の上方に、前記金属製梁部材４２を掛け渡すことが出来る。この実施の形態１では、居室ユニット２５，２５の桁方向に延設される構造壁部の上部に沿ってこの金属製梁部材４２，４２が各々位置する。
【００５９】
更に、前記ナット部材２４ｃを前記取付ボルトに螺合させて締結し、ウレタン材７２を梁装着部３８に注入後、前記軒受けつなぎ部材７３を、前記切欠部５２ａ…を各々スリット７３ｂ…に挿入することより、この梁装着部３８，３８を覆うように、前記隣接する居室ユニット２５，２５間に跨らせて装着する。
【００６０】
この軒受けつなぎ部材７３では、前記パネル当接部材３４の屋根パネル支持面３４ａと略同一角度で傾斜する屋根パネル支持面７３ａが、この屋根パネル支持面３４ａ，３４ａと略面一位置に装着されて、これらの屋根パネル支持面３４ａ，３４ａと共に、上部に装着される各平板状屋根パネル部材５８〜６９を下方から支持する。
【００６１】
また、この水平板状金属片部５０は、前記鉛直補強スチフナー部５２，５２によって、前記金属製梁部材４２の端縁４２ａの鉛直面と一体に連結されている。
【００６２】
このため、家屋の規模に関わらず、常に所望の支持強度を確保できる。
【００６３】
また、前記水平板状取付金属片部５０は、前記屋根部３２の底面に略水平方向に沿って並設される金属製梁部材４２，４２の端縁４２ａ，４２ａから側方に突設されているので、前記柱材２４上方の前記金属製梁部材４２の占有空間の増大を抑制して、屋根部３２の平板状屋根パネル部材５８〜６９の装着位置を、下階居室ユニット２５の壁パネル上端面に近接（図４中では、頭頂部２４ａに近接）した比較的低い位置とすることが出来る。
【００６４】
このため、例えば、斜線制限等に抵触し難く、設計の自由度を増大させることが出来る。
【００６５】
また、前記鉛直補強スチフナー部５２，５２が、上面側に斜めの切欠部５２ａ，５２ａを有している。更に、この実施の形態１では、これらの切欠部５２ａ，５２ａが、前記スリット部７３ｂ，７３ｂ内に各々挿入される。
【００６６】
このため、更に、前記屋根部３２の屋根パネル部材５８〜６９の装着位置を、下階居室ユニット２５の壁パネル上端面に近接した比較的低い位置とすることが出来る。
【００６７】
また、図１に示す様に、前記屋根裏４３が、床構造体４５及び小壁部材４７等を予め装着した屋根裏用ユニット４９を、前記居室ユニット２５上部に載置することにより、床部に前記金属製梁部材４２，４２を並設して形成される。このため、施工性が良好である。
【００６８】
更に、前記屋根裏用ユニット４９では、開口部４６が、前記所定間隔をおいて設けられる金属製梁部材４２，４２間に形成されているので、屋根部３２の底面の構造強度の低下を殆ど発生させることなく、下階居室ユニット２５内に形成される居室空間等との連絡通路としての階段開口部等を予め形成できる。
【００６９】
従って、施工性が良好で、斜線制限等の条件を満たし、屋根裏等を設けた屋根構造を提供できる。
【００７０】
以上、この発明の実施の形態１を図面により詳述してきたが、具体的な構成はこの実施の形態１に限らず、この発明の要旨を逸脱しない範囲の設計の変更等があってもこの発明に含まれる。
【００７１】
例えば、前記実施の形態１では、略方形状の開口部４６を、一対の前記金属製梁部材４２，４２の間に設けるようにしているが、特にこれに限らず、例えば、長方形、楕円形等、金属製梁部材４２，４２間に形成されるものであるならば、形状、大きさ、階段の種類等が、特に限定されるものではない。
【００７２】
【発明の効果】
以上説明してきたように、この発明の請求項１記載のものによれば、前記水平板状金属片部に設けられた取付孔に、前記柱材の頭頂部から上方へ向けて立設された取付ボルトを挿通することにより、該居室の上部の高剛性を有する柱材が配設された隅部の上方に、前記金属製梁部材を掛け渡すことが出来る。
【００７３】
また、該水平板状金属片部は、前記鉛直補強スチフナー部によって、前記金属製梁部材の端縁の鉛直面と一体に連結されている。
【００７４】
このため、家屋の規模に関わらず、常に所望の支持強度を確保できる。
【００７５】
また、前記水平板状取付金属片部は、前記屋根部の底面に略水平方向に沿って並設される金属製梁部材の端縁から側方に突設されているので、前記柱材上方の前記金属製梁部材の占有空間の増大を抑制して、屋根部の屋根パネル部材の装着位置が、下階居室ユニットの壁パネル上端面に近接した比較的低い位置とすることが出来る。
【００７６】
このため、例えば、斜線制限等に抵触し難く、設計の自由度を増大させることが出来る。
【００７７】
また、前記鉛直補強スチフナー部が、上面側に斜めの切欠部を有しているので、前記屋根部の屋根パネル部材の装着位置を、下階居室ユニットの壁パネル上端面に近接した比較的低い位置とすることが出来る。
【００７８】
また、請求項２に記載されたものでは、前記屋根裏用ユニットを前記居室ユニット上部に載置することにより、床部に前記金属製梁部材が並設された屋根裏を形成できる。
【００７９】
このため、施工性が良好である。
【００８０】
更に、請求項３に記載されたものでは、前記開口部が、前記所定間隔をおいて設けられる金属製梁部材間に形成されているので、該屋根部底面の構造強度の低下を殆ど発生させることなく、下階居室ユニット内に形成される居室空間等との連絡通路等を形成できる。
【００８１】
従って、施工性が良好で、斜線制限等の条件を満たし、屋根裏等を設けた屋根構造を提供できる、という実用上有益な効果を発揮する。
【図面の簡単な説明】
【図１】本発明の実施の形態１の屋根構造で、要部の分解斜視図である。
【図２】実施の形態１の屋根構造で、柱材の頭頂部に端根太部材及び金属製梁部材を装着する様子を説明する分解斜視図である。
【図３】実施の形態１の屋根構造で、所定の傾斜を有する屋根パネルを配置する屋根部の斜視図である。
【図４】実施の形態１の屋根構造で、図６中Ｂ−Ｂ線に沿った位置での断面図である。
【図５】実施の形態１の屋根構造で、図２中Ａ−Ａ線に沿った位置での断面図である。
【図６】実施の形態１の屋根構造で、屋根パネル部材を取り付ける前の要部の一部断面正面図である。
【図７】実施の形態１の屋根構造で、屋根部の柱と梁との取付構造を説明する斜視図である。
【図８】実施の形態１の屋根構造で、平板状屋根パネル部材の取付を説明する模式図である。
【図９】実施の形態１の屋根構造で、屋根部の全体の構成を説明する斜視図である。
【図１０】実施の形態１の屋根構造で、屋根部の全体の構成を説明する上面図である。
【図１１】一従来例のユニット建物で、全体の斜視図である。
【図１２】一従来例のユニット建物に用いられる屋根ユニットの斜視図である。
【図１３】他の従来例のユニット建物に用いられる屋根構造の要部の断面図である。
【符号の説明】
２３ 建物
２４ 柱材
２４ａ 頭頂部
２５ 居室ユニット
２６ 下階居室部
３０ 耐力壁部
３２ 屋根部
４２ 金属製梁部材
４２ａ 端縁
５０ 水平板状金属片部
５１ 取付孔
５２ 鉛直補強スチフナー部
５２ａ 切欠部
５８〜６９ 屋根パネル部材
７３ 軒受けつなぎ部材
７３ａ 屋根パネル支持面
７３ｂ スリット部
【図１】
0003735213.tif 000002
【図２】
0003735213.tif 000003
【図３】
0003735213.tif 000004
【図４】
0003735213.tif 000005
【図５】
0003735213.tif 000006
【図６】
0003735213.tif 000007
【図７】
0003735213.tif 000008
【図８】
0003735213.tif 000009
【図９】
0003735213.tif 000010
【図１０】
0003735213.tif 000011
【図１１】
0003735213.tif 000012
【図１２】
0003735213.tif 000013
【図１３】
0003735213.tif 000014